(57)【要約】【課題】  メダル・コイン等のメダル類を対向する回転ブラシ間を通過させてメダル類の清掃・研磨を行う装置において、回転ブラシのブラシ毛が長時間使用で先端が丸くなってメダル類の表面の凹凸にあるゴミ・汚れ・微細片のゴミ類に対する清掃力及び掻出力の性能が低くすることを防ぐことにある。【解決手段】  ２組の上下対向した回転ブラシ２，３の上方の回転ブラシ２上に、下面に砥石層８１を有する軽量のブラシ毛の先端エッジ回復用ブラシ砥石板８を載置し、又下方の回転ブラシ３の下位に取付けた取付基盤９３の上に逆ハ字状の揺動制限ストッパ９４を設け、同ストッパにブラシ毛のエッジ回復用砥石層９１を有する２個の縦ブラシ砥石板９を挿入して前後方向に揺動自在とし、同縦ブラシ砥石板９に回転ブラシ３へ付勢する重り９２を縦ブラシ砥石板９に取付け、回転ブラシ２，３の下方にゴミ類を空気とともに吸引して排除する剥離物回収装置７を設ける。【選択図】図１
2017192446.tif 000002
【特許請求の範囲】
【請求項１】
メダル又はコインのメダル類の搬送路に沿って、搬送されるメダル類の上面又は下面の表面に接触してメダル類の表面を清掃する上下一対の対向した回転ブラシを複数組列設するとともに、上下の回転ブラシの回転方向を接触するメダル類を搬送方向に送るように互に逆方向に回転ブラシを回転させる回動手段を備えた、メダル類の研磨装置に於いて、
上方の複数ある各回転ブラシのブラシ毛先端の回転軌跡の上端位置で支持されるように、下面に砥石層がある軽量なブラシ砥石板を上方の回転ブラシの上に乗せかけ、同軽量なブラシ砥石板の搬送方向の移動を制限する制限部材を設け、下方の回転ブラシの近くで同回転ブラシに向けて揺動でき且つ回転ブラシに対向した面に砥石層がある縦ブラシ砥石板を設け、同縦ブラシ砥石板を対向する下方の回転ブラシに向けて付勢する付勢手段を設け、更に回転ブラシによるメダル類の研磨及び前記ブラシ砥石板又は縦ブラシ砥石板によるブラシ毛の研磨によって放出されるゴミ・汚れ又は微細片を回転ブラシの外周空間から排出する排出手段を備えた、メダル類の研磨装置。
【請求項２】
上下対の回転ブラシがある区間のメダル類の搬送路の回転ブラシの前後の搬送路にメダル類が上下方向に傾いて搬送路から飛び出すことを防止するメダルガイドを搬送路の上下に設け、しかも同メダルガイドの先端部が近接する回転ブラシのブラシ毛先端の回転軌跡内に進入する位置まで延びているものである、請求項１記載のメダル類の研磨装置。
【請求項３】
メダルガイドの先端部に回転ブラシの回転軸方向に沿って所定ピッチで突出部を複数個設けて同メダルガイドを櫛歯状とした、請求項２記載のメダル類の研磨装置。
【請求項４】
同じ回転ブラシのブラシ毛先端の回転軌跡に進入するように設けられたメダルガイドの先端部に設けた突出部のピッチの寸法が同じ回転ブラシの前後のメダルガイドで異なるようにすることで、又は前後のメダルガイドの突出部の形状を異形のものにすることで、あるいは前後のメダルガイドの突出部の形状とピッチが同じであるがピッチの位相を異なるようにすることで、回転ブラシのブラシ毛が前後のメダルガイドの先端部と突出部との接触状態を変え且つブラシ毛に振動を与えることで、ブラシ毛に付着したゴミ・汚れ・微細片を効果的に剥離して空気中に放出し易くした、請求項３記載のメダル類の研磨装置。
【請求項５】
前記ブラシ砥石板の制限部材が、回転ブラシを取付けた回転ブラシ室壁に取付けられたブラシ砥石板の前後端部を抱持する弾性体の緩衝部材である、請求項１〜４いずれか記載のメダル類の研磨装置。
【請求項６】
縦砥石板の付勢手段が縦砥石板の途中に回転ブラシ方向に重りを突設して、重りの自重力を付勢力とした、請求項１〜５いずれか記載のメダル類の研磨装置。
【請求項７】
上下一対の回転ブラシのブラシ毛先端の回転軌跡が互に搬送路の位置で交差して重なるものである、請求項１〜６いずれか記載のメダル類の研磨装置。
【請求項８】
排除手段が、回転ブラシを収める空間の空気を吸引して前記回転ブラシで空気中に遊離させたゴミ・汚れ又は微細片を空気とともに吸引して排除する吸引式の剥離物回収装置であり、更に回転ブラシを収めるケーシングの天井面及びブラシ砥石板に大気空気を取り込む開口を設けた、請求項１〜７いずれか記載のメダル類の研磨装置。
【請求項９】
ゴミ類の排除手段が、回転ブラシの下方にゴミ・汚れ・微細片の落下物をシュートでガイドし、その下方に落下物を受けて貯えるゴミ回収容器を設けたものである、請求項１〜７いずれか記載のメダル類の研磨装置。
【請求項１０】
請求項１〜９いずれか記載のメダル類の研磨装置におけるメダル類の前記搬送路の上流側に、回転盤上面の外周領域にブラシ毛を上方向に植毛し、その上方に固定したブラシ毛を下方向に植毛し、回転盤の上面の中央領域の上方に使用済みメダル類の投入口を設け、回転盤の上面の中央領域を同投入口から投入されるメダル類の受面とし、落下したメダル類を回転盤の中央領域で受けて前記回転盤の下側ブラシ毛と固定の上側ブラシ毛との間の方向に前記回転盤の回転の遠心力でもって移動させてメダル類を上下のブラシ毛間を通過させて１次的に清掃して前記搬送路へ送り出す構造の回転盤式１次清掃装置を設け、同回転盤式１次清掃装置でメダル類を１次的に清掃したものを前記メダル類の研磨装置の搬送路へ送り込んで、メダル類の２次清掃と研磨を行うメダル類の研磨装置。
【請求項１１】
メダル類が遊技店の遊技機で使用されるメダルである、請求項１〜１０いずれか記載のメダル類の研磨装置。
【発明の詳細な説明】
【技術分野】
【０００１】
本発明は、メダル・コイン又は厚みの薄い小型の金属プレート等の小物（以下、メダル類と称する）の表面及び裏面の汚れ・付着しているゴミ・微粒子あるいはブラシ毛の破断片等（以下、ゴミ類と称する）を回転ブラシのブラシ毛で剥離して除去するメダル類の研磨装置に関する。
【背景技術】
【０００２】
上下対向した回転ブラシのブラシ毛の間にメダルを通過させて回転しているブラシ毛でメダルの表面・裏面のゴミ類を剥離して除去してメダルを清掃・研磨するメダル研磨装置が、特許文献１，２で公知となっている。
【０００３】
この回転ブラシのブラシ毛の先端がメダルとの繰り返し接触によってブラシ毛の毛先端が摩耗によって図９の（ｂ）の如く丸味を帯びると、メダルの表面の微小な凹凸に付着したゴミ・汚れ・粒状物の剥離力が低下し、装置としての清掃研磨力が弱くなるという問題点があった。又、ブラシ毛の毛先のエッジに汚れ・ゴミが固着して離れなくなってもブラシ毛による剥離力が低下していた。
【先行技術文献】
【特許文献】
【０００４】
【特許文献１】特開２０１１−０１９５８９号公報
【特許文献２】特開２０１１−０６７２５７号公報
【発明の概要】
【発明が解決しようとする課題】
【０００５】
本発明が解決しようとする課題は、清掃研磨用の回転ブラシのブラシ毛の毛先がメダル等の小物の表面との繰り返し接触による摩耗によって丸味を帯びて剥離力が低下すること及びブラシ毛の毛先のエッジに汚れ・ゴミが固着することにより剥離力の低下することを防止し、長時間使用しても回転ブラシによる清掃研磨力の低下がない回転ブラシを用いたメダル類の研磨装置を提供することにある。
【課題を解決するための手段】
【０００６】
かかる課題を解決した本発明の構成は、
１）  メダル又はコインのメダル類の搬送路に沿って、搬送されるメダル類の上面又は下面の表面に接触してメダル類の表面を清掃する上下一対の対向した回転ブラシを複数組列設するとともに、上下の回転ブラシの回転方向を接触するメダル類を搬送方向に送るように互に逆方向に回転ブラシを回転させる回動手段を備えた、メダル類の研磨装置に於いて、
上方の複数ある各回転ブラシのブラシ毛先端の回転軌跡の上端位置で支持されるように、下面に砥石層がある軽量なブラシ砥石板を上方の回転ブラシの上に乗せかけ、同軽量なブラシ砥石板の搬送方向の移動を制限する制限部材を設け、下方の回転ブラシの近くで同回転ブラシに向けて揺動でき且つ回転ブラシに対向した面に砥石層がある縦ブラシ砥石板を設け、同縦ブラシ砥石板を対向する下方の回転ブラシに向けて付勢する付勢手段を設け、更に回転ブラシによるメダル類の研磨及び前記ブラシ砥石板又は縦ブラシ砥石板によるブラシ毛の研磨によって放出されるゴミ・汚れ又は微細片を回転ブラシの外周空間から排出する排出手段を備えた、メダル類の研磨装置
２）  上下対の回転ブラシがある区間のメダル類の搬送路の回転ブラシの前後の搬送路にメダル類が上下方向に傾いて搬送路から飛び出すことを防止するメダルガイドを搬送路の上下に設け、しかも同メダルガイドの先端部が近接する回転ブラシのブラシ毛先端の回転軌跡内に進入する位置まで延びているものである、前記１）記載のメダル類の研磨装置
３）  メダルガイドの先端部に回転ブラシの回転軸方向に沿って所定ピッチで突出部を複数個設けて同メダルガイドを櫛歯状とした、前記２）記載のメダル類の研磨装置
４）  同じ回転ブラシのブラシ毛先端の回転軌跡に進入するように設けられたメダルガイドの先端部に設けた突出部のピッチの寸法が同じ回転ブラシの前後のメダルガイドで異なるようにすることで、又は前後のメダルガイドの突出部の形状を異形のものにすることで、あるいは前後のメダルガイドの突出部の形状とピッチが同じであるがピッチの位相を異なるようにすることで、回転ブラシのブラシ毛が前後のメダルガイドの先端部と突出部との接触状態を変え且つブラシ毛に振動を与えることで、ブラシ毛に付着したゴミ・汚れ・微細片を効果的に剥離して空気中に放出し易くした、前記３）記載のメダル類の研磨装置
５）  前記ブラシ砥石板の制限部材が、回転ブラシを取付けた回転ブラシ室壁に取付けられたブラシ砥石板の前後端部を抱持する弾性体の緩衝部材である、前記１）〜４）いずれか記載のメダル類の研磨装置
６）  縦砥石板の付勢手段が縦砥石板の途中に回転ブラシ方向に重りを突設して、重りの自重力を付勢力とした、前記１）〜５）いずれか記載のメダル類の研磨装置
７）  上下一対の回転ブラシのブラシ毛先端の回転軌跡が互に搬送路の位置で交差して重なるものである、前記１）〜６）いずれか記載のメダル類の研磨装置
８）  排除手段が、回転ブラシを収める空間の空気を吸引して前記回転ブラシで空気中に遊離させたゴミ・汚れ又は微細片を空気とともに吸引して排除する吸引式の剥離物回収装置であり、更に回転ブラシを収めるケーシングの天井面及びブラシ砥石板に大気空気を取り込む開口を設けた、前記１）〜７）いずれか記載のメダル類の研磨装置
９）  ゴミ類の排除手段が、回転ブラシの下方にゴミ・汚れ・微細片の落下物をシュートでガイドし、その下方に落下物を受けて貯えるゴミ回収容器を設けたものである、前記１）〜７）いずれか記載のメダル類の研磨装置
１０）  前記１）〜９）いずれか記載のメダル類の研磨装置におけるメダル類の前記搬送路の上流側に、回転盤上面の外周領域にブラシ毛を上方向に植毛し、その上方に固定したブラシ毛を下方向に植毛し、回転盤の上面の中央領域の上方に使用済みメダル類の投入口を設け、回転盤の上面の中央領域を同投入口から投入されるメダル類の受面とし、落下したメダル類を回転盤の中央領域で受けて前記回転盤の下側ブラシ毛と固定の上側ブラシ毛との間の方向に前記回転盤の回転の遠心力でもって移動させてメダル類を上下のブラシ毛間を通過させて１次的に清掃して前記搬送路へ送り出す構造の回転盤式１次清掃装置を設け、同回転盤式１次清掃装置でメダル類を１次的に清掃したものを前記メダル類の研磨装置の搬送路へ送り込んで、メダル類の２次清掃と研磨を行うメダル類の研磨装置
１１）  メダル類が遊技店の遊技機で使用されるメダルである、前記１）〜１０）いずれか記載のメダル類の研磨装置
にある。
【発明の効果】
【０００７】
本発明によれば、対向して回転している上・下の回転ブラシのブラシ毛の先端部をブラシ砥石板又は縦ブラシ砥石板に接触させてブラシ毛の先端をブラシ砥石板の表面の砥石層に当ててブラシ毛先端を研磨しブラシ毛の先端のエッジを回復状態で常に使用できるので、ブラシ毛の先端のエッジでゴミ・汚れ等の付着物を長時間使用しても性能が低くすることなく効果的に掻き出して排除できる。丸味を帯びた図９の（ｂ）のブラシ毛の毛先を図９の（ｃ）の如くエッジを作るようにブラシ毛の毛先を常時研ぎ、ブラシ毛の毛先のエッジを確保して、このエッジによってメダル類の表面裏面の凹凸の隅にある汚れ・ゴミ等をよく掻き出し、しかも砥石層で常時ブラシ毛の毛先を研ぐことでブラシ毛にエッジが確保されて、回転ブラシの清掃研磨力を高く長時間維持できるようにする。
加えて、ブラシ砥石板・縦ブラシ砥石板は回転ブラシから強い力・振動の荷重が与えられても、上方又は前後方向に逃げることで、破損することなく安定的に作動できる。
【０００８】
又、本発明では上方の回転ブラシのブラシ毛の先端部を研ぎ直すブラシ砥石板は軽量で、回転ブラシの上端に乗っかっているだけであり、軽い圧力で回転ブラシの弾性ある多数のブラシ毛に乗り、しかもブラシ毛が上方でしなりながら円運動してブラシ砥石板の砥石層と接触してブラシ毛の毛先端部を効果的に研ぎ、ブラシ毛の先端のエッジを回復させる。しかも、ブラシ砥石板は回転ブラシ毛の上方にある多数のブラシ毛の上で浮遊状態にあって、ブラシ毛の弾性力によって強い振動・力が作用せずに緩支持されていて、故障・破損することなく安定したブラシ毛の先端の研磨を可能としている。このブラシ砥石板の回転ブラシからの搬送方向への移動に対しては、制限部材で制限して安定作動を可能としている。
【０００９】
ブラシ砥石板の制限部材がブラシ砥石板の前後端部を抱持する弾性体の緩衝部材である場合は、ブラシ砥石板がケーシングの側壁と直接当ることがなく、ブラシ砥石板の前後移動によるケーシング側壁との衝突騒音・打撃振動を少なくし、又上下振動を緩衝して回転ブラシのブラシ毛の繰り返し応力による変形・損耗を少なくするので好ましい。
【００１０】
更に、下方の縦ブラシ砥石板も回転ブラシ方向への付勢力と下方の回転ブラシのブラシ毛の変形による弾性力とブラシ回転力とが平衡して、揺動しながらブラシ毛の先端を軽く砥石層で下方の回転ブラシのブラシ毛を効果的に研いで、ブラシ毛の先端のエッジを回復させている。
【００１１】
特に、上記のブラシ砥石板・縦ブラシ砥石板によるブラシ毛の研磨は、回転ブラシのブラシ毛がメダルガイドの先端部が櫛歯状になっていることで回転方向ばかりでなく、回転軸方向にブラシ毛を振ることでブラシ毛の先端はブラシ砥石板・縦ブラシ砥石板でよく種々の方向から研ぐことができ、ブラシ毛の先端研磨が均一且つ良好になる。
【００１２】
更に、上下にあるメダルガイドは、メダル類が回転ブラシによって上向き又は下向きの力が働いても、搬送方向から逸脱するのを防いでメダル類を搬送方向に規制している。加えて、このメダルガイドの先端部の突出部が櫛歯状になっているものでは、ブラシ毛がこの櫛歯状の先端縁・突出部に接触してブラシ毛に付着しているゴミ類をこさぐように剥離して、空中によく放出できるようになっている。しかも、ブラシ毛はメダルガイドの先端部の櫛歯状の突出部でブラシ毛を種々の方向に振るように運動させ、このブラシ毛の運動でブラシ毛に付着したゴミ類を振り払う効果も発生し、分離力を高めている。
特に、メダルガイドの先端に所定ピッチで突出部を設けて櫛歯状とするとともに、同一回転ブラシの回転軌跡内に進入させる前後のメダルガイドの突出部の回転軸方向のピッチの寸法を異にするもの、又は突出部の形状を変えたもの、あるいは突出部のピッチの位相を異にしたものも使用すれば、メダルガイドによって回転ブラシのブラシ毛を回転軸方向に振り分けて梳き、そのブラシ毛とメダルガイドとの接触位置が変化し、ブラシ毛は回転軸方向に振られて、ブラシ毛に付着したゴミや汚れ等の剥離を効果的に且つ均一に出来る。又ブラシ毛の回転軸方向の振り運動で剥離したゴミ類を振って空気中によく放出できる。
【００１３】
更に、本発明によるメダル類の研磨の前に実施例１，２の如く水平回転盤による１次清掃・研磨を行う１次清掃装置を前置すれば、メダル類の研磨はきわめて高度にできる。
【００１４】
又、図８に示す如く、上下の回転ブラシのブラシ毛がメダル搬送路で交差して重なる場合は、ブラシ毛の毛先端がまっすぐメダルの表面に接触する場合に比べ、毛の長さが余ってその長さ分ブラシ毛が湾曲・しなってメダル表面と接触し、ブラシ毛は斜め又は湾曲して凹凸の隅部に差し込まれるように接触し、ブラシ毛によるメダル類の表面の微細な凹凸の隅にあるゴミ・汚れ・微細片の掻き出し力を高めるものとなる。
【図面の簡単な説明】
【００１５】
【図１】図１は、本発明の実施例１のメダル類の研磨装置Ｇ１の全体構造を示す説明図である。
【図２】図２は、実施例１の回転盤式１次清掃装置１０を示す分解斜視図である。
【図３】図３は、実施例１の回転ブラシの駆動機構を示す説明図である。
【図４】図４は、実施例１の要部構造を示す断面図である。
【図５】図５は、実施例１のブラシ砥石板と縦ブラシ砥石板の配置を示す分解斜視図である。
【図６】図６は、実施例１の回転ブラシを示す側面図である。
【図７】図７は、実施例１の回転ブラシを示す正面図である。
【図８】図８は、実施例１の回転ブラシのブラシ毛の研磨状態を示す説明図である。
【図９】図９（ａ），（ｂ），（ｃ）は、実施例１のブラシ毛の先端状態を示す説明図である。
【図１０】図１０は、実施例１のブラシ毛の砥石研磨の要部構造を示す斜視図である。
【図１１】図１１は、実施例１のメダルガイドの配置を示す説明図である。
【図１２】図１２は、実施例１の前方・中間及び後方のメダルガイドの先端部の突出部の櫛歯状の形状を示す斜視図である。
【図１３】図１３は、実施例１のメダルの移動状態を示す説明図である。
【図１４】図１４は、ゴミ類の落下方式による排除手段の例の実施例２を示す説明図である。
【図１５】図１５は、本発明のブラシ砥石板の構造と、その前後の移動巾を規制する制限部材とブラシ砥石板の前後端の支持の種々の構造例を示す説明図である。
【図１６】図１６は、本発明のブラシ砥石板の平面形状例を示す説明図である。
【図１７】図１７は、本発明の縦ブラシ砥石板の支持構造例を示す説明図である。
【発明を実施するための形態】
【００１６】
本発明のブラシ砥石板・縦ブラシ砥石板の表面に形成する砥石層の砥石材としては、サンドペーパー・ヤスリ・セラミック研磨布・砥石等に使用されている砥石材が使用できる。砥石材の付着の他に、砥石層を取付けた板材に微細な凹凸を設けて砥石層とすることでも可能となる。
【００１７】
又、回転ブラシのブラシ毛の長さは図８に示すようにブラシ毛がしなってメダル類の表面に毛先が当るようにするブラシ毛の長さが好ましい。この長さでは、ブラシ毛の先端がメダル類の表面の凹凸の隅に刺し込むようにして付着物を掻き出して剥離し、又ブラシ毛の曲がりによる弾性力が撥き飛ばす力を生む。この長さを生じるようにするため、上下の回転ブラシのブラシ毛が互に交差するように重ねる程の長さにする必要がある。
【００１８】
又、対向する一対の回転ブラシとしては、メダル搬送路が水平方向で上下方向に対向する回転ブラシ配置が代表例であるが、メダル搬送路が垂直・傾斜したものでもよい。水平方向に左右対向する回転ブラシでもよいし、対向方向が傾斜していてもよい。
【００１９】
又、ゴミ類の排出手段としては、吸引式の電気掃除機（ゴミはフィルター袋内に収容するタイプ及びサイクロンで捕捉して小室に溜めるタイプ）の構造が採用できる。空気吸引口は対向の回転ブラシ間の空気及びその周囲の空気とともに飛散・浮遊するゴミ・粒子・破片・ブラシの削りカス等の剥離物を吸引して、フィルター袋内又はサイクロンの小室に収容し、多く収容されればフィルター袋・小室から排出するようにするのがよい。このため、回転ブラシを収納するケーシングの天井面及びブラシ砥石板に空気取込みと空気移動の為の開口を設けることが好ましい。
【００２０】
ブラシ砥石板の支持及び前後方向の制限部材とその緩衝用弾性体の取付けの種々のパターンを図１５に示している。図１５の制限部材は回転ブラシを収納する回転ブラシ側壁とし、（ａ）は制限部材の内面に緩衝用弾性体８４を張りつけたタイプ、（ｂ）は回転ブラシ側壁に取付けたＬ字状の支持部材上に載せて下方の落下及び下方への傾きを防止するタイプ、（ｃ）はブラシ砥石板の前後端を回転ブラシ側壁に取付けたＣ字状の抱持弾性体で緩支持するタイプである。そして、（ａ）〜（ｃ）のブラシ砥石板には空気流通用の開口８２が設けられていて、（ｄ）〜（ｆ）は開口がないタイプである。開口なしは、ゴミ類を自重で落下して回収するタイプに適している。これらのタイプは、ゴミ類の排除手段、回転ブラシのブラシ毛からの振動・力に応じて適切なタイプが採用するようにする。
【００２１】
図１６は本発明のブラシ砥石板の開口があるタイプ（ａ）と、開口のないタイプ（ｂ）の平面形状を示している。
【００２２】
図１７は本発明における縦ブラシ砥石板を揺動自在に支持構造例で、（ａ）はＬ字状支持部材で、縦ブラシ砥石板９の取付基盤９３を支持し、縦ブラシ砥石板９の下端を支持して少しの角度の揺動で制限するように揺動制限ストッパ９４を逆ハ字状に設けている。（ｂ）は取付基盤９３の前後端をＣ字状の弾性体８４１で抱持するタイプである。又、本発明の縦ブラシ砥石板を回転ブラシに向けて揺動させる構造は図１７に限るものでなく、ブラシ砥石板の中間又は下端で枢支して回転ブラシとの対向面に砥石層を設け、同ブラシ砥石板を回転ブラシに向けて付勢するスプリング又は重りを設ける構造でもよい。
【実施例】
【００２３】
（実施例１）
以下、本発明の実施例１のメダル類の研磨装置Ｇ１は、１次清掃として回転盤式１次清掃装置１０を有し、２次清掃として本発明の回転ブラシによる研磨部Ｇ０を設けた例である。以下、この実施例１を図面に基づいて説明する。図１〜１３に示す実施例１は上下対向の回転ブラシ２，３を２組メダルの搬送路１に沿って配置し、ゴミ類の排除手段としてフィルター袋７６を使用した吸引式剥離物回収装置７を設け、又ブラシ研磨のブラシ砥石板８は前後の回転ブラシ２の上端に乗せるもので、その砥石層８１で回転ブラシ２のブラシ毛２３の毛先を研磨する。
又、下方の回転ブラシ３のブラシ研磨の縦ブラシ砥石板９は、回転ブラシ室壁８３の下方に支持された水平な取付基盤９３の中央の逆ハ字状の揺動制限ストッパ９４に下端部を差し込まれ、途中に設けた重り９２によって縦ブラシ砥石板９を回転ブラシ３の方へ付勢し、その砥石層９１が回転ブラシ３のブラシ毛３３と接触してブラシ毛３３の先端を研磨している。
併せて、同ブラシ毛に付着したゴミ・汚れ・破片を同ブラシ毛から分離し、空気中に剥離物として飛散させる。この飛散した剥離物は空気吸引式を使用した剥離物回収装置７の空気吸引口７１から吸引捕捉し、空気路７４を経て回収装置７２の内部のフィルター袋７６に収納させる。そして、メダルｍの第１次清掃装置１０として、公知の水平な回転盤１１上面の外周領域に植生したブラシ毛１２の植毛帯と、固定フレーム１３２の下面に植生したブラシ毛１４のブラシ毛帯との間を、メダルｍが回転盤１１の回転力による遠心力で通過する際上下のブラシ毛１２，１４間でメダルｍを清掃・研磨する構造で、その１次清掃したメダルｍを本発明の回転ブラシによる研磨部Ｇ０の上下対向の回転ブラシ２，３間のメダルの搬送路１に沿って送り出す例である。
【００２４】
図１４に示す実施例２のメダル類の研磨装置Ｇ２は、ゴミ類の排除手段が実施例１の空気吸引式剥離物回収装置７に代えてゴミ類の落下をシュート３１でガイドして、下方のゴミ回収容器３０で受けて貯えるものである。他は実施例１の構造・作用効果と同様である。
【００２５】
（実施例１の符号の説明）
Ｇ０は実施例１中の本発明の要部の回転ブラシによる研磨部、Ｇ１は実施例１のメダル類の研磨装置、１はメダルの搬送路、２，３は上下対向した回転ブラシ、２１，３１は回転ブラシ２，３の植毛される円筒ロール、２２，３２は回転ブラシ２，３の回転軸、２３，３３は円筒ロール２１，３１の外周面に一定の巾で且つその巾が螺旋状となるように多数本植毛されたブラシ毛、２４，３４は回転軸２２，３２の軸着された平ギアで、互に噛合して回転軸２２，３２を反対方向に回転させる。２５はモータ５の出力軸に軸着されたベルト車、３５は回転軸３２に軸着されたベルト車、４はモータ５の動力をベルト車３５へ伝達する伝動ベルト、５は回転ブラシ２，３を回動させるモータ、６は搬送路１の排出シュート部である。又、２３１，３３１はブラシ毛２３，３３のエッジ、２３２，３３２は同エッジに付着したゴミ・汚れ、２３３，３３３は同エッジの丸味である。
【００２６】
又、７は空気吸引式の剥離物回収装置であり、７１は回転ブラシ２，３の中位置に設けた空気吸引口、７２は同空気吸引口に吸引した剥離物収容用フィルター袋７６，ファン７５を有する掃除機の構造と同じであるので省略した回収装置本体部、７３は排気口、７４は空気吸引口７１と回収装置本体部７２とを連通する空気路、７５は空気路７４の空気圧を負圧にするファン、７６は剥離物回収の一般的なフィルター袋で、詳細図面は省略している。
【００２７】
８は板状のブラシ研磨体で、厚みが０．７ｍｍ×長さ１７８ｍｍ×巾１００ｍｍで素材はステンレス製であり重さが５５ｇ程のブラシ砥石板、８１は同ブラシ砥石板８の下面にサンドペーパーを取付けて形成された砥石層、８２は空気通路の開口、８３は制限部材である回転ブラシ室壁、８４はブラシ砥石板８の前後端を緩衝する回転ブラシ室壁８３に取付けた弾性体、８４１はＣ字状の抱持弾性体、８５は回転ブラシ室壁８３の天井壁に設けた空気取込用の開口である。
【００２８】
又、図中９は下方の回転ブラシ３用の研磨体の縦ブラシ砥石板、９１は同縦ブラシ砥石板９の回転ブラシ３との対向面に取付けたサンドペーパーを用いた砥石層、９２は同縦ブラシ砥石板９の途中に対向する回転ブラシ３の方向に突出するように設けた重り、９３は縦ブラシ砥石板９を支持する回転ブラシ室壁８３の下方位置で取付けられた水平な取付基盤、９３０は同取付基盤９３に設けた空気流通とゴミ類の吸引路ともなる開口、９４は取付基盤９３の中央に設けた縦ブラシ砥石板９を揺動自在に取付ける逆ハ字状の揺動制限ストッパである。
【００２９】
更に、図中２０は搬送路１の回転ブラシ２，３の前後に上下所定間隔離して搬送路１と平行に配置される上下対のメダルガイドであって、メダルｍが上方向又は下方向に傾かないように水平に搬送されるようにするものである。２１はメダルガイド２０の回転ブラシ２，３のブラシ毛先端の回転軌跡内に進入させた先端部、２２は同先端部２１から突出させた略三角形状の突出部であり、同じ回転ブラシ２，３に進入させた前後のメダルガイド２０の突出部２２とはピッチ及び突出の長さを異にさせている。
実施例２の図面の図１４の３０は落下するゴミ類を受けて貯えるゴミ回収容器、３１は落下するゴミ類をゴミ回収容器３０へ誘導するシュートである。
【００３０】
図中、１０は第１段目の回転盤式１次清掃装置、１１はその回転盤、１１１は回転盤１１の中央領域のメダル受面、１１２は回転盤１１の回転軸、１２は回転盤１１の上面の外周領域に上方に向けて植毛された環状の下側のブラシ毛、１３は装置ケーシング、１３１はメダルｍの投入口、１３２は回転盤１１の上面の外周領域の上側のブラシ毛を下方向に向けて植生する固定フレーム、１３３は回転盤１１を収める環状ケーシング部、１４は同固定フレームの下面に下向きに植生された上側ブラシ毛、１５は回転盤１１の回転軸１１２を回転させるモータ、１５１は伝動ベルト、１６は装置ケーシング１３の環状ケーシング部１３３の一部を開口して搬送路１にメダルｍを送り込むメダル送出口である。
【００３１】
（実施例１の動作）
実施例１では、使用されたメダルｍは回転盤式１次清掃装置１０の投入口１３１からランダムに投入する。投入されたメダルｍは回転盤１１の中央領域のメダル受面１１１で受けられる。回転盤１１はモータ１５で高速回転していて回転盤１１のメダル受面１１１及びその外周領域に置かれたメダルｍは回転による遠心力が作用し、メダルｍは半径方向に（螺旋的軌跡でもって）加速されて、回転盤１１の下側ブラシ毛１２と固定フレーム１３２の上側ブラシ毛１４との間を通過して又環状ケーシング部１３３の内面に拘束されて、ブラシ毛１２，１４によってブラッシングを受けて一次的に清掃され、適当なタイミングでメダル送出口１６からメダルを搬送路１へ送り出される。
この回転盤式１次清掃装置１０によってメダルｍは１次的にかなり清掃される。
【００３２】
搬送路１に送り出されたメダルｍは、本発明の要部の回転ブラシによる研磨部Ｇ０へ送られる。ここでは、上下対の回転ブラシ２，３が回動されている。
回転ブラシ２，３の回動は図３に示している。モータ５の出力軸に取付けたベルト車２５と回転ブラシ２，３の回転軸３２に取付けたベルト車３５とを伝動ベルト４で伝動し、上下の回転ブラシ２，３はその円筒ロール２１，３１の回転軸２２，３２に軸着した平ギア２４，３４の噛合で、上下一対の回転ブラシ２，３は互に反対方向に回転させている。
【００３３】
搬送路１に送り込まれたメダルｍは上下対向の回転ブラシ２，３のブラシ毛２３，３３間の搬送路１を通過する過程で、上下のブラシ毛２３，３３によってメダルｍの表面・裏面の凹凸の隅までブラシ毛の先端が刺し込まれてこの隅にある１次清掃で除去されないで残っているゴミ・汚れ・粒子をブラシ毛２３，３３の毛先で掻き出してこれら付着物をメダルｍから剥離し、又そのブラシ毛２３，３３の変形による弾性力で剥離物を外周へ飛散・放出させる。この状態を図８に示している。
この上下の回転ブラシ２，３は搬送路１に沿って２組設けることで充分に回転ブラシ２，３による２次清掃を行う。
【００３４】
回転ブラシ２，３のブラシ毛２３，３３は、使用開始時は図９（ａ）の如くブラシ毛２３，３３の毛先はブラシ毛を直角に切断面を有し、エッジ２３１，３３１を有しているが、使用していると図９（ｂ）の如くエッジ２３１，３３１にゴミ・汚れ２３２（３３２）が付着したり、又丸味２３３，３３３を帯びてきてブラシ毛２３，３３の剥離力が低下する。
【００３５】
本実施例１では、ブラシ毛２３，３３のエッジ２３１，３３１に付着したゴミ・汚れ２３２，３３２を剥離除去する。又、ブラシ毛２３，３３の丸味を帯びたエッジ２３１，３３１を研磨してエッジ２３１，３３１を回復して図９（ｃ）の如くエッジを有する状態にする（但し、ブラシ毛の先端外径が少し短くなる傾向がある）。
これによって、ブラシ毛２３，３３の毛先の付着物の除去とエッジの回復によってブラシ毛の剥離力を高く維持できる。
【００３６】
更に、本実施例１では上方の２組の回転ブラシ２の上にブラシ砥石板８がのっていて、回転ブラシ２のブラシ毛２３が回転してブラシ砥石板８の下面の砥石層８１に接触して、ブラシ毛２３の毛先端を研磨してエッジを回復させる。ブラシ毛２３が何回か回転すれば砥石層８１と確実に接触して、ブラシ毛の毛先端を研磨させてエッジを回復させる。尚、ブラシ砥石板８は回転ブラシ２からブラシ摩擦で前後方向に動こうとするが、弾性体８４が衝突音・振動少なく抑止する。又、上下方向の動揺も弾性体８４が緩支持して騒音・振動を少なくしている。
【００３７】
下方の回転ブラシ３には、縦ブラシ砥石板９が重り９２の重力で回転ブラシ３の方向に付勢しているので、縦ブラシ砥石板９の砥石層９１が回転ブラシ３のブラシ毛３３に接触して、ブラシ毛の毛先を研磨してエッジを回復させる。
ここで、縦ブラシ砥石板９が回転ブラシ３から強い力を受けても、下端の揺動制限ストッパ９４の制御の範囲で揺動して力を逃がすことができるので、安定した作動が確保されている。又、この揺動制限ストッパ９４をゴム素材とすれば緩衝されるので、揺動騒音を少なく作動できる。
【００３８】
２組の回転ブラシ２，３でメダルｍの表面から剥離して空気中に放出したゴミ・汚れ・粒子及び上記ブラシ砥石板８，縦ブラシ砥石板９でのブラシ毛２３，３３の研磨で発生するゴミ類は、この回転ブラシ２，３の下方位置に剥離物回収装置７の空気吸引口７１があり、ファン７５によって負圧にされているので、回転ブラシ２，３等によって空気中に浮遊・飛散している剥離物、又はブラシ毛等に軽く再付着した剥離物は空気吸引口７１の負圧によって吸引され、回収装置本体７２の内部にあるフィルター袋７６によって収容され、空気のみ排気口７３から大気へ戻される。フィルター袋７６の収集された剥離物が満杯となればフィルター袋７６は外されて捨てられ、新しい空のフィルター袋７６と交換される。又、剥離物回収装置７の負圧吸引が円滑にいくように、回転ブラシ室壁８３の天井壁には開口８５が、ブラシ砥石板８には開口８２が、更に下方の取付基盤９３には開口９３０が設けられ、大気の空気を開口８５から取り込んで、回転ブラシ室壁８３内のゴミ類と空気とを前記開口８２，開口９３０を介して空気吸引口７１へ吸引し、フィルター袋７６でゴミ類を捕捉し、空気は排気口７３から逃がしている。
【００３９】
図１４に示す実施例２は、実施例１におけるゴミ類の排除手段が吸引式剥離物回収装置７に代えてゴミ類を自然落下させ、シュート３１で下方のゴミ回収容器３０に貯える方法である。ゴミ類の回収方法がシンプルにした例であり、ゴミ類の回収以外の構成・作用効果は実施例１と同様である。
【産業上の利用可能性】
【００４０】
本発明は、遊技店で使うメダル又はコイン硬貨の他に、薄板の表面に凹凸・彫れ込みがある小型金属板の工業製品の清掃にも使用できる。
【符号の説明】
【００４１】
Ｇ０    回転ブラシによる研磨部
Ｇ１    実施例１のメダル類の研磨装置
Ｇ２    実施例２のメダル類の研磨装置
ｍ    小物であるメダル
１    搬送路
２，３    回転ブラシ
２１，３１    円筒ロール
２２，３２    回転軸
２３，３３    ブラシ毛
２３１，３３１    エッジ
２３２，３３２    ゴミ・汚れ
２３３，３３３    丸味
２４，３４    平ギア
３５    ベルト車
４    伝動ベルト
５    モータ
６    排出シュート部
７    剥離物回収装置
７１    空気吸引口
７２    回収装置本体
７３    排気口
７４    空気路
７５    ファン
７６    フィルター袋
８    ブラシ砥石板
８１    砥石層
８２    開口
８３    制限部材である回転ブラシ室壁
８４    弾性体
８４１    抱持弾性体
８５    開口
９    縦ブラシ砥石板
９１    砥石層
９２    重り
９３    取付基盤
９３０    開口
９４    逆ハ字状の揺動制限ストッパ
１０    回転盤式１次清掃装置
１１    回転盤
１１１    メダル受面
１１２    回転軸
１２    ブラシ毛
１３    装置ケーシング
１３１    投入口
１３２    固定フレーム
１３３    環状ケーシング部
１４    ブラシ毛
１５    モータ
１５１    伝動ベルト
１６    メダル送出口
２０    メダルガイド
２１    先端部
２２    突出部
３０    ゴミ回収容器
３１    シュート
【図１】
2017192446.tif 000003
【図２】
2017192446.tif 000004
【図３】
2017192446.tif 000005
【図４】
2017192446.tif 000006
【図５】
2017192446.tif 000007
【図６】
2017192446.tif 000008
【図７】
2017192446.tif 000009
【図８】
2017192446.tif 000010
【図９】
2017192446.tif 000011
【図１０】
2017192446.tif 000012
【図１１】
2017192446.tif 000013
【図１２】
2017192446.tif 000014
【図１３】
2017192446.tif 000015
【図１４】
2017192446.tif 000016
【図１５】
2017192446.tif 000017
【図１６】
2017192446.tif 000018
【図１７】
2017192446.tif 000019